(57)【要約】【課題】ロックバック状態においてワイパアームに作用する外力を確実に緩和して、ワイパ装置の破損を確実に防止することができるワイパ装置を提供する。【解決手段】モータ１１の出力軸１１ａに一端部１６ａが固定され、該出力軸と一体に回転するクランクアーム１６と、クランクアーム１６に連結されたリンクコンロッド１９と、リンクコンロッド１９に連結されワイパアーム１５を上反転位置と下反転位置との間で揺動させるピボット軸１４ａに一端部を固定した一方のピボットアーム１７と、他方のピボット軸１４ｂに一端部を固定した他方のピボットアーム１７′と、一方のピボットアーム１７と他方のピボットアーム１７′とを連結する連結ロッド２０とを備え、ワイパアームの停止位置でワイパアームをフード側に起立自在にしたワイパ装置において、ワイパアーム１５の停止位置をクランクアーム１６とリンクコンロッド１９とが一直線にならない位置で設定した。【選択図】図１
2008207701.tif 000002
【特許請求の範囲】
【請求項１】
モータの出力軸に一端部が固定され、該出力軸と一体に回転するクランクアームと、前記クランクアームに連結されたリンクコンロッドと、前記リンクコンロッドに連結され、ワイパアームを上反転位置と下反転位置との間で揺動させるピボット軸に一端部を固定した一方のピボットアームと、他方のピボット軸に一端部を固定した他方のピボットアームと、これら一方のピボットアームと他方のピボットアームとを連結する連結ロッドとを備え、前記ワイパアームの停止位置で、該ワイパアームをフード側に起立自在にしたワイパ装置において、
前記ワイパアームの停止位置を前記クランクアームと前記リンクコンロッドとが一直線にならない位置で設定したことを特徴とするワイパ装置。
【請求項２】
請求項１記載のワイパ装置であって、
前記ワイパアームの停止位置における前記クランクアームに対する前記リンクコンロッドの傾斜角を４゜〜８゜に設定したことを特徴とするワイパ装置。
【発明の詳細な説明】
【技術分野】
【０００１】
本発明は、車両のウィンドシールドガラスを払拭するワイパ装置に関する。
【背景技術】
【０００２】
この種のワイパ装置は、モータの出力軸に一端部が固定され、該出力軸と一体に回転するクランクアームと、このクランクアームに連結されたリンクコンロッドと、このリンクコンロッドに連結されワイパアームを上反転位置と下反転位置との間で揺動させるピボット軸に一端部を固定した一方のピボットアームと、他方のピボット軸に一端部を固定した他方のピボットアームと、一方のピボットアームと他方のピボットアームとを連結する連結ロッドとを備えている。（例えば、特許文献１参照。）。
【０００３】
このようなワイパ装置において、ワイパモータが駆動されることで、ワイパアームが下反転位置から上反転位置までの間で往復回動してそのワイパブレードで車両のウィンドシールドガラスに付着した雨滴等を払拭するようになっている。また、ワイパ装置は、洗車時やワイパブレードの交換等のために、ワイパアームの停止位置において、ワイパアームを起立する所謂ロックバック状態とすることができるようになっている。
【０００４】
【特許文献１】特開平６−９２２０３号公報
【発明の開示】
【発明が解決しようとする課題】
【０００５】
しかしながら、前記従来のワイパ装置では、ワイパアームの下反転位置、すなわちクランクアームとリンクコンロッドが一直線となる状態、所謂デットポイント状態となるように設定されているため、洗車時等でワイパアームをロックバックした状態でフードを開けて、フードがワイパアームに押し当たった状態になると、ワイパアームはロックバックの状態を維持したまま回動することが出来ずに、その外力によってワイパ装置が破損するおそれがあった。
【０００６】
そこで、本発明は、前記した課題を解決すべくなされたものであり、ロックバック状態においてワイパアームに作用する外力を確実に緩和して、ワイパ装置の破損を確実に防止することができるワイパ装置を提供することを目的とする。
【課題を解決するための手段】
【０００７】
請求項１の発明は、モータの出力軸に一端部が固定され、該出力軸と一体に回転するクランクアームと、前記クランクアームに連結されたリンクコンロッドと、前記リンクコンロッドに連結され、ワイパアームを上反転位置と下反転位置との間で揺動させるピボット軸に一端部を固定した一方のピボットアームと、他方のピボット軸に一端部を固定した他方のピボットアームと、これら一方のピボットアームと他方のピボットアームとを連結する連結ロッドとを備え、前記ワイパアームの停止位置で、該ワイパアームをフード側に起立自在にしたワイパ装置において、前記ワイパアームの停止位置を前記クランクアームと前記リンクコンロッドとが一直線にならない位置で設定したことを特徴とする。
【０００８】
請求項２の発明は、請求項１記載のワイパ装置であって、前記ワイパアームの停止位置における前記クランクアームに対する前記リンクコンロッドの傾斜角を４゜〜８゜に設定したことを特徴とするワイパ装置。
【発明の効果】
【０００９】
以上説明したように、請求項１の発明によれば、ワイパアームの停止位置をクランクアームに対してリンクコンロッドが一直線にならないように角度をもたせて設定してあるので、ワイパワームのロックバック時にフードを開けた際のフードの端縁が押し当たる等の外力が作用した場合、リンクコンロッドがクランクアームを回転させることで、容易にワイパアームが回動して、ロックバック状態を解除することが出来るので、外力を確実に緩和することができ、ワイパ装置の破損を確実に防止することができる。
【００１０】
請求項２の発明によれば、ワイパアームの停止位置におけるクランクアームに対するリンクコンロッドの傾斜角を４゜〜８゜に設定したことにより、ワイパ作動時の停止位置から下反転位置までの揺動を小さく僅かなものとすることができ、しかもワイパアームに作用する外力に対してもクランクアームを容易に回転させることで、ワイパワームのロックバック時にフードを開けた際のフードの端縁が押し当たる等の外力が作用した場合でも、ロックバック状態を解除することが出来るので、外力を確実に緩和することができ、ワイパ装置の破損を確実に防止することができる。
【発明を実施するための最良の形態】
【００１１】
以下、本発明の一実施形態を図面に基づいて説明する。
【００１２】
図１は本発明の一実施形態のワイパ装置を示す底面図、図２（ａ）は同ワイパ装置のクランクアームとリンクコンロッドが一直線のデッドポイントとなった下反転位置の状態を示す要部の拡大説明図、図２（ｂ）は同デッドポイントを回避した停止位置の状態を示す要部の拡大説明図、図３は同ワイパ装置のロックバックした状態からロックバックが解除される状態に戻るまでの各状態を順に示す斜視図である。
【００１３】
図１に示すように、ワイパ装置１０は、モータ１１を取り付けた金属製の取付フレーム１２と、この取付フレーム１２の一端部１２ａより両側に突出したパイプフレーム１３の両端部１３ａ，１３ｂに固定された一対のピボットホルダ１４，１４′と、モータ１１の出力軸１１ａに一端部１６ａが固定され、該出力軸１１ａと一体に回転するクランクアーム１６と、クランクアーム１６にボールジョイント部（連結部）１８Ａを介して連結されたリンクコンロッド１９と、このリンクコンロッド１９にワイパアーム１５を下反転位置（Ｘ）と上反転位置（Ｙ）との間で揺動させるピボット軸１４ａに一端部が固定された一方のピボットアーム１７がボールジョイント部（連結部）１８Ｂを介して連結されている共に、他方のピボット軸１４ｂにはピボットアーム１７′の一端部１７ａが連結されている。そして、これらのピボットアーム１７，１７′の他端側１７ｂ、１７ｂには各ボールジョイント部（連結部）１８Ｃ，１８Ｃを介して両端部２０ａ，２０ｂがそれぞれ枢支された他方の連結ロッド２０とを備えている。
【００１４】
そして、図１及び図２（ｂ）に示すように、ワイパ装置１０は、クランクアーム１６とリンクコンロッド１９とが一直線にならないように角度を持たせた状態で、ワイパアーム１５の停止位置が設定されている。従って、ワイパアームの作動停止時におけるワイパ装置１０は、図１及び図２（ｂ）の状態になっている。本実施形態では、図２（ｂ）に示すようにクランクアーム１６とリンクコンロッド１９との傾斜角θは５°〜８°に設定されている。
【００１５】
図１において、ワイパモータ１１が図中左回転するとクランクアーム１６に連結されたボールジョイント１８Ａが回転運動をすることで、リンクコンロッド１９が往復運動をする。そして、リンクコンロッド１９に連結されたピボットアーム１７が、ピボット軸１４ａを中心にして揺動することで、ピボット軸１４ａが回転する。また、リンクコンロッド１９が往復運動してピボットアーム１７が揺動することで、連結ロッド２０が往復運動し、この連結ロッド２０に連結した他方のピボットアーム１７′が揺動することで、他方のピボット軸１４ｂも回転する。両方のピボット軸１４ａ，１４ｂが回転することで、ワイパを下反転位置と上反転位置との間を往復運動して、ウィンドシールドガラスを払拭する。
【００１６】
このとき、ワイパを作動させようとしてワイパスイッチを作動させると、モータ１１が図中左回転することになり、クランクアーム１６とリンクコンロッド１９とが図２（ａ）に示すように一直線状になる状態（下反転位置）を通過することになる。この際、ワイパアーム１５は一度下方、すなわち下反転位置に向かって僅かに移動することになるが、上述のようにクランクワーム１６とリンクコンロッド１９との傾斜角θが５°〜８°と小さい角度のため、この動作は極めて小さいものとなる。その後はワイパモータ１１の回転によりワイパアーム１５が、上反転位置と下反転位置との間を往復回動してウィンドシールドガラス２１を払拭する。そして、ワイパアームの作動を停止させるべくワイパスイッチを停止状態にすると、ワイパモータ１１は、既存のワイパ停止機構にて払拭動作終了後に図１に示す状態にてワイパ装置１０が停止するすように設定されている。
【００１７】
図１及び図２（ｂ）に示すように、クランクアーム１６に対してリンクコンロッド１９が一直線にならないように角度θを持たせた状態にワイパアーム１５の停止位置を設定することで、ワイパアーム１５のロックバック時にフード２３を開ける等によりワイパアーム１５に外力が作用した場合、作用した外力がリンクコンロッド１９を介してクランクアーム１６を図２（ｂ）で示すように矢印の方向（モータの逆回転方向）に回転し、ワイパアーム１５が上反転位置方向に移動する。一方、図２（ａ）に示すようにクランクアーム１６とリンクコンロッド１９が一直線状となる下反転位置をワイパアーム１５の停止位置にした従来技術では、ワイパアーム１５をロックバックした状態で、フード２３を開ける等によりワイパアーム１５に外力が作用した場合、クランクアーム１６とリンクコンロッド１９が一直線となるデッドポイント状態となり、クランクアーム１６はどちらの方向にも回転することが出来ない状態となっていた。
【００１８】
これにより、図３に示すように、ワイパアーム１５の停止位置でのロックバック状態（Ａ）でフード２３を開ける際に、フード２３の端縁２３ａがワイパアーム１５に押し当たると、ワイパアーム１５は上反転位置方向に移動する力が作用し、この力がリンクコンロッド１９を揺動させ、クランクアーム１６、モータ１１が回転し、ワイパアーム１５が上反転方向に移動する。そして、フード２３がさらに開けられると、フード２３の端縁２３ａとワイパアーム１５との接触角が、ワイパアーム１５をウィンドシールドガラス２２側に倒すようになった時（Ｂ）に、ワイパアーム１５は図中矢印方向に倒れるようにロックバック状態が解除され、ウィンドシールドガラス２２に当接する。
【００１９】
以上実施形態のワイパ装置１０によれば、図１と図２（ｂ）に示すように、ワイパアーム１５の停止位置がクランクアーム１６に対するリンクコンロッド１９が一直線にならないように角度をもたせて設定してあるので、ワイパワーム１５のロックバック時にフード２３を開けた際のフード２３の端縁２３ａが押し当たる等の外力が作用した場合、リンクコンロッド１９がクランクアーム１６を回転させることで、容易にワイパアーム１５が回動して、ロックバック状態を解除することが出来るので、ワイパ装置の破損を確実に防止することができる。
【００２０】
そして、クランクアーム１６に対するリンクコンロッド１９の傾斜角θを大きくするとワイパアーム１５に作用する外力に対して、クランクアーム１６の回動を容易とすることが出来るが、この傾斜角θを大きく設定すると、ワイパ作動時の停止位置から一度下反転位置までワイパアーム１５が作動する角度が大きくなってしまい、傾斜角θを小さくするとククランクアーム１６とリンクコンロッド１９とが一直線状に近づいてしまい、ワイパアーム１５に作用する外力に対して、クランクアーム１６の回転が容易とならなくなる。従って、本実施形態のように４°〜８°の間に設定すると、ワイパ作動時の停止位置から下反転位置までの揺動を小さく僅かなものとすることができ、しかもワイパアーム１５に作用する外力に対してもクランクアーム１６を容易に回転させることができる。
【図面の簡単な説明】
【００２１】
【図１】本発明の一実施形態のワイパ装置を示す底面図である。
【図２】（ａ）は上記ワイパ装置のクランクアームとリンクコンロッドが一直線のデッドポイントとなった下反転位置の状態を示す要部の拡大説明図、（ｂ）は同デッドポイントを回避した状態の停止位置の状態を示すの要部の拡大説明図である。
【図３】上記ワイパ装置のロックバックした状態からロックバックが解除される状態に戻るまでの各状態を順に示す斜視図である。
【符号の説明】
【００２２】
１０  ワイパ装置
１１  モータ
１１ａ  出力軸
１４  ピボットホルダ
１４ａ  ピボット軸
１５  ワイパアーム
１６  クランクアーム
１６ａ  一端部
１６ｂ  他端部
１７  ピボットアーム
１７ａ  一端部
１７ｂ  他端部
１８Ａ，１８Ｂ  ボールジョイント部
１９  リンクコンロッド
２０  連結ロッド
２０ａ，２０ｂ  両端部
２３  フード
（Ｘ）  ワイパアームのセット位置
Ｐ  一直線
θ  リンクコンロッドの傾斜角
【図１】
2008207701.tif 000003
【図２】
2008207701.tif 000004
【図３】
2008207701.tif 000005